(57)【要約】【課題】  ボイラユニットの停止操作条件に対応して適切な薬品濃度管理を実現することができるユニット水処理方法およびユニット水処理システムを提供する。【解決手段】  ボイラユニットの停止操作条件に対応した適切な薬品濃度、および該薬品濃度を実現する薬品注入ポンプ９１の駆動量との関係を格納した薬品濃度データベース２０１と、ボイラユニットの停止操作条件を入力する停止操作条件入力手段２０２と、薬品濃度データベース２０１を参照し、停止操作条件入力手段２０２により入力された停止操作条件に応じて、薬品注入ポンプ９１の駆動量を制御する薬品注入ポンプ駆動制御手段２０３とを備える。【選択図】  図１
2007217773.tif 000002
【特許請求の範囲】
【請求項１】
ボイラユニットの停止操作中に、該ボイラユニットの給水系統に注入する薬品濃度を管理するユニット水処理方法であって、
前記ボイラユニットの停止操作条件に対応した適切な薬品濃度、および該薬品濃度を実現する薬品注入ポンプの駆動量との関係を取得して保存するステップと、
前記ボイラユニットの停止操作条件に対応して、保存されている前記薬品注入ポンプの駆動量となるように前記薬品注入ポンプを駆動制御するステップと、を含むことを特徴とするユニット水処理方法。
【請求項２】
前記薬品注入ポンプの駆動中に、前記給水系統中の薬品濃度を検出するステップと、
検出した薬品濃度が予め定めた適切な濃度であるか否かを判定するステップと、
検出した薬品濃度が予め定めた適切な濃度ではない場合に、適切な薬品濃度となるように前記薬品注入ポンプを駆動制御するステップと、を含むことを特徴とする請求項１に記載のユニット水処理方法。
【請求項３】
前記薬品注入ポンプは、ヒドラジン注入ポンプまたはアンモニア注入ポンプの少なくとも１つであることを特徴とする請求項１または２に記載のユニット水処理方法。
【請求項４】
前記薬品注入ポンプの駆動制御は、前記薬品注入ポンプのストローク量または回転数を制御して実現することを特徴とする請求項１〜３のうちいずれか１項に記載のユニット水処理方法。
【請求項５】
ボイラユニットの停止操作中に、該ボイラユニットの給水系統に注入する薬品濃度を管理するユニット水処理システムであって、
前記ボイラユニットの停止操作条件に対応した適切な薬品濃度、および該薬品濃度を実現する薬品注入ポンプの駆動量との関係を格納した薬品濃度データベースと、
前記ボイラユニットの停止操作条件を入力する停止操作条件入力手段と、
前記薬品濃度データベースを参照し、前記停止操作条件入力手段により入力された停止操作条件に応じて、前記薬品注入ポンプの駆動量を制御する薬品注入ポンプ駆動制御手段と、を備えたことを特徴とするユニット水処理システム。
【請求項６】
前記給水系統中の薬品濃度を検出する薬品濃度検出手段と、
前記薬品濃度検出手段により検出した薬品濃度が予め定めた適切な濃度であるか否かを判定する薬品濃度判定手段と、
前記薬品濃度判定手段により薬品濃度が予め定めた適切な濃度ではないと判定された場合に、前記薬品注入ポンプ駆動制御手段に対して修正指示を行う修正指示手段と、を備えたことを特徴とする請求項５に記載のユニット水処理システム。
【請求項７】
前記薬品注入ポンプは、ヒドラジン注入ポンプまたはアンモニア注入ポンプの少なくとも１つであることを特徴とする請求項５または６に記載のユニット水処理システム。
【請求項８】
前記薬品注入ポンプ駆動制御手段は、前記薬品注入ポンプのストローク量または回転数を制御することにより、薬品濃度の調整を行うことを特徴とする請求項５〜７のうちいずれか１項に記載のユニット水処理システム。
【発明の詳細な説明】
【技術分野】
【０００１】
本発明は、ボイラユニットの停止操作中に、該ボイラユニットの給水系統に注入するヒドラジンやアンモニア等の薬品濃度を管理するユニット水処理方法およびユニット水処理システムに関するものである。
【背景技術】
【０００２】
従来より、ボイラユニットを停止している間は、給水系統における溶存酸素を除去して腐食を防止するため、給水系統中にヒドラジンやアンモニア等の薬品を注入したり、窒素封入を行ったりしている。薬品注入を行う際には、ボイラの停止操作条件に応じて適切な薬品濃度とする必要がある。すなわち、薬品濃度が低すぎた場合には、溶存酸素を除去することができずに給水系統の腐食を招くおそれがあり、反対に薬品濃度が高すぎた場合には、ボイラユニットの再起動に時間を要するとともに排水処理費用が嵩む等の問題がある。
【０００３】
そこで、ボイラユニットの停止期間中に、該ボイラユニットの給水系統に注入する薬品濃度を管理する技術が種々提案されている。例えば、特許文献１（特開平８−１０５６０５号公報）「給水中の電気伝導度を利用したボイラーの連動薬注システム」に、給水に薬注を行っているボイラにおいて、給水の水質変動に追随して常に最適な薬注を行うための技術が開示されている。
【０００４】
この特許文献１に記載されている「給水中の電気伝導度を利用したボイラーの連動薬注システム」は、給水系統の途中に給水の電気伝導度を検出するための電気伝導度計を設け、検出された電気伝導度を薬注装置の駆動を制御するための薬注制御装置に入力し、この薬注制御装置に予め入力されている計算式に基づいて薬注率を計算し、算出した薬注率となるように薬注制御を行うようにしたものである。
【０００５】
【特許文献１】特開平８−１０５６０５号公報
【発明の開示】
【発明が解決しようとする課題】
【０００６】
ところで、ボイラユニットの停止操作中における給水系統の薬品注入では、ボイラユニットの起動時間を短縮するとともに、給水系統の腐食を確実に防止するために、ボイラユニットの停止操作条件に応じて適切な薬品濃度となるような制御を行う必要がある。このため、従来は、熟練した作業者がその経験に基づいて薬品注入ポンプの駆動を制御することにより、適切な薬品濃度を維持するように努めていた。
【０００７】
この点に関して、上述した特許文献１に記載されている「給水中の電気伝導度を利用したボイラーの連動薬注システム」では、ボイラユニットの停止操作条件と給水系統における薬品濃度との関係を考慮しておらず、ボイラユニットの停止操作条件に応じて適切な薬品注入を行うことができるとは言い難かった。
【０００８】
本発明は、上述した事情に鑑み提案されたもので、ボイラユニットの停止操作条件に対応して適切な薬品濃度管理を実現することができるユニット水処理方法およびユニット水処理システムを提供することを目的とする。
【課題を解決するための手段】
【０００９】
本発明のユニット水処理方法およびユニット水処理システムは、上述した目的を達成するため、以下の特徴点を備えている。
すなわち、本発明のユニット水処理方法は、ボイラユニットの停止操作中に、該ボイラユニットの給水系統に注入する薬品濃度を管理するユニット水処理方法であって、前記ボイラユニットの停止操作条件に対応した適切な薬品濃度、および該薬品濃度を実現する薬品注入ポンプの駆動量との関係を取得して保存するステップと、前記ボイラユニットの停止操作条件に対応して、保存されている前記薬品注入ポンプの駆動量となるように前記薬品注入ポンプを駆動制御するステップと、を含むことを特徴とするものである。
【００１０】
さらに、前記薬品注入ポンプの駆動中に、前記給水系統中の薬品濃度を検出するステップと、検出した薬品濃度が予め定めた適切な濃度であるか否かを判定するステップと、検出した薬品濃度が予め定めた適切な濃度ではない場合に、適切な薬品濃度となるように前記薬品注入ポンプを駆動制御するステップと、を含むことが好ましい。
【００１１】
また、前記薬品注入ポンプは、ヒドラジン注入ポンプまたはアンモニア注入ポンプの少なくとも１つとすることが可能である。また、前記薬品注入ポンプの駆動制御は、前記薬品注入ポンプのストローク量または回転数を制御して実現することが可能である。
【００１２】
本発明のユニット水処理システムは、ボイラユニットの停止操作中に、該ボイラユニットの給水系統に注入する薬品濃度を管理するユニット水処理システムであって、前記ボイラユニットの停止操作条件に対応した適切な薬品濃度、および該薬品濃度を実現する薬品注入ポンプの駆動量との関係を格納した薬品濃度データベースと、前記ボイラユニットの停止操作条件を入力する停止操作条件入力手段と、前記薬品濃度データベースを参照し、前記停止操作条件入力手段により入力された停止操作条件に応じて、前記薬品注入ポンプの駆動量を制御する薬品注入ポンプ駆動制御手段と、を備えたことを特徴とするものである。
【００１３】
さらに、前記給水系統中の薬品濃度を検出する薬品濃度検出手段と、前記薬品濃度検出手段により検出した薬品濃度が予め定めた適切な濃度であるか否かを判定する薬品濃度判定手段と、前記薬品濃度判定手段により薬品濃度が予め定めた適切な濃度ではないと判定された場合に、前記薬品注入ポンプ駆動制御手段に対して修正指示を行う修正指示手段と、を備えることが好ましい。
【００１４】
また、前記薬品注入ポンプは、ヒドラジン注入ポンプまたはアンモニア注入ポンプの少なくとも１つとすることが可能である。また、前記薬品注入ポンプ駆動制御手段は、前記薬品注入ポンプのストローク量または回転数を制御することにより、薬品濃度の調整を行うことが可能である。
【００１５】
なお、本発明のユニット水処理方法およびユニット水処理システムにおいて、ボイラユニットとは、ボイラおよびその付属機器のことをいう。
【発明の効果】
【００１６】
本発明のユニット水処理方法およびユニット水処理システムによれば、ボイラユニットの停止操作条件に応じて適切な薬品濃度となるように、薬品注入ポンプの駆動制御を行うことができるので、給水系統の腐食を確実に防止するとともに、ボイラユニットの起動時間を短縮することが可能となる。
【００１７】
また、給水系統に注入された薬品の濃度を監視し、最適な薬品濃度となるように薬品注入ポンプの駆動制御を行うことにより、さらに一層、適切な薬品濃度管理を行うことが可能となる。
【発明を実施するための最良の形態】
【００１８】
以下、図面を参照して、本発明のユニット水処理方法およびユニット水処理システムの実施形態を説明する。
本発明のユニット水処理方法およびユニット水処理システムは、予め、ボイラユニットの停止操作条件に対応した適切な薬品濃度および該薬品濃度を実現する薬品注入ポンプの駆動量との関係を取得しておき、ボイラユニットの停止操作条件に対応して薬品注入ポンプを駆動制御することにより、給水系統に注入される薬品濃度を常に最適なものとしている。また、薬品注入ポンプの駆動中に、給水系統中の薬品濃度を検出して、薬品濃度が予め定めた適切な濃度ではないと判定した場合に、適切な薬品濃度となるように薬品注入ポンプを駆動制御することにより、給水系統に注入される薬品濃度管理をより一層確実なものとしている。
【実施例１】
【００１９】
以下、本発明の実施例１に係るユニット水処理方法およびユニット水処理システムを説明する。
図１〜図４は本発明の実施例１に係るユニット水処理方法およびユニット水処理システムを示すもので、図1はユニット水処理システムの概略構成を示すブロック図、図２はボイラユニットの停止操作条件に対応した適切な薬品濃度を示す説明図、図３はユニット水処理方法の手順を示すフローチャートである。また、図４は本発明の実施例１に係るユニット水処理方法およびユニット水処理システムを適用する発電プラントの概略構成図である。
【００２０】
＜発電プラント＞
まず、本発明の実施例１に係るユニット水処理方法およびユニット水処理システムを適用する発電プラントの概略構成について説明する。
図４に示すように、本発明の実施例１に係るユニット水処理方法およびユニット水処理システムを適用する発電プラント１００は、ボイラ１１内で燃料を燃焼させて水を加熱することにより蒸気を発生させ、発生した蒸気をタービン関係配管２１，２２，２３，２４，２５を介してタービンケーシング内に送り、タービン（高圧タービン３１、中圧タービン３２、および低圧タービン３３ａ，３３ｂ）を回転させることにより、１次発電機４１および２次発電機４２を駆動して発電を行うようになっている。
【００２１】
この発電プラント１００は、ボイラ１１内で燃料を燃焼させるための燃焼系統１１０と、水を加熱することにより蒸気を発生させ、発生した蒸気によりタービン３１，３２，３３ａ，３３ｂを回転させるための復水・蒸気系統１２０と、両系統１１０，１２０の設備に冷却水を供給する冷却系統（図示せず）とに大別することができる。
【００２２】
以下、各系統について詳細に説明する。
燃焼系統１１０は、図４に示すように、ボイラ１１および排ガス処理設備５１を備えている。
ボイラ１１は、燃料を燃焼させるための火炉１１ａと、火炉１１ａ内の下部に設けられた燃焼バーナ１２とを備えている。燃焼バーナ１２には、微粉炭機１３から微粉炭が供給されるとともに、押込送風機１４から燃焼空気が供給され、微粉炭と燃焼空気とが混合されて火炉１１ａ内で燃焼するようになっている。
【００２３】
火炉１１ａには、復水器６１から供給される水を加熱して蒸気を発生させるための火炉水壁（図示せず）、過熱器１５および再熱器１６などが配設されている。
また、火炉１１ａの下流側には、微粉炭の燃焼によって発生した排ガスを処理するための排ガス処理設備５１が設けられている。この排ガス処理設備５１は、排ガス中の窒素酸化物を除去するための脱硝装置５１ａ、排ガス中のダストを除去するための集塵装置５１ｂ、排ガス中の硫黄酸化物を除去するための脱硫装置５１ｃ、および煙突５１ｄからなる。脱硝装置５１ａ、集塵装置５１ｂ、および脱硫装置５１ｃを通過した排ガスは、煙突５１ｄから大気中に放散される。
【００２４】
なお、集塵装置５１ｂと脱硫装置５１ｃとの間には誘引通風機（図示せず）が配設されるとともに、脱硫装置５１ｃと煙突５１ｄとの間には脱硫通風機（図示せず）が配設されており、誘引通風機および脱硫通風機の作用により排ガスが吸引されて煙突５１ｄへ至るようになっている。
【００２５】
次に、復水・蒸気系統１２０について説明する。
復水・蒸気系統１２０は、タービン３１，３２，３３ａ，３３ｂと、タービン３１，３２，３３ａ，３３ｂから排出された蒸気を凝縮して水に戻す復水器６１と、復水器６１から供給された水を加熱して蒸気とする火炉水壁（図示せず）、過熱器１５および再熱器１６などを備えている。過熱器１５および再熱器１６で発生した蒸気は、タービン関係配管２１，２２，２３，２４，２５を介してタービン３１，３２，３３ａ，３３ｂへ供給される。このように、復水・蒸気系統１２０は循環系となっている。
【００２６】
タービン３１，３２，３３ａ，３３ｂは、過熱器１５で発生した蒸気により回転する高圧タービン３１と、高圧タービン３１から排出された蒸気を再熱器１６で加熱して得られた再加熱蒸気により回転する中圧タービン３２と、中圧タービン３２から排出された蒸気により回転する低圧タービン３３ａ，３３ｂとからなる。上述したように、復水・蒸気系統１２０は循環系となっており、低圧タービン３３ａ，３３ｂを回転させた排出蒸気は復水器６１に戻される。
【００２７】
低圧タービン３３ａ，３３ｂは一対設けられており、各低圧タービン３３ａ，３３ｂに対して、中圧タービン３２から排出された蒸気が供給される。また、過熱器１５と高圧タービン３１のケーシングとを繋ぐタービン関係配管２１、高圧タービン３１のケーシングと再熱器１６とを繋ぐタービン関係配管２２、再熱器１６と中圧タービン３２のケーシングとを繋ぐタービン関係配管２３、中圧タービン３２のケーシングと低圧タービン３３ａ，３３ｂのケーシングとを繋ぐタービン関係配管２４、および低圧タービン３３ａ，３３ｂのケーシングと復水器６１とを繋ぐタービン関係配管２５が連通接続されており、上述したように蒸気が循環するようになっている。
【００２８】
高圧タービン３１と中圧タービン３２とは互いに同軸となるように連結されている。高圧タービン３１および中圧タービン３２の回転は、高圧タービン３１および中圧タービン３２に同軸に連結された１次発電機４１に伝達され、１次発電機４１が駆動されて発電が行われる。また、２台の低圧タービン３３ａ，３３ｂ同士も互いに同軸に連結されており、低圧タービン３３ａ，３３ｂの回転は、低圧タービン３３ａ，３３ｂに同軸に連結された２次発電機４２に伝達され、２次発電機４２が駆動されて発電が行われる。
【００２９】
高圧タービン３１、中圧タービン３２、および低圧タービン３３ａ，３３ｂは、それぞれ、スラスト軸受けやメタル軸受け等の軸受け（図示せず）によって支持されて、各タービンケーシング内に収容されている。そして、タービン関係配管２１，２２，２３，２４，２５を介して各タービンケーシングに蒸気が供給されることにより、高圧タービン３１、中圧タービン３２、および低圧タービン３３ａ，３３ｂが回転するようになっている。
【００３０】
復水器６１は、気密容器となっており、復水器６１の上部には、低圧タービン３３ａ，３３ｂから排出される排出蒸気を取り込むための蒸気取込口６２が設けられている。この蒸気取込口６２にはタービン関係配管２５が連通接続されている。また、復水器６１の略中央には、排出蒸気を冷却凝縮して復水するための管巣６３が設けられており、復水器６１内の下部には、冷却凝縮された水を貯留するためのホットウエル６４が設けられている。
【００３１】
管巣６３は、複数の伝熱管から構成され、伝熱管内には海水循環ポンプ６５によって汲み上げられた海水が循環して流され、排出された蒸気を冷却凝縮して水に戻すようになっている。また、冷却に供された海水は海中へ放流される。なお、この海水循環ポンプ６５は、冷却系統（図示せず）の一部を構成している。
【００３２】
ホットウエル６４には、管巣６３において冷却凝縮された水が貯留される。このホットウエル６４の底部は、送水管２６を介して過熱器１５に連通接続しており、送水管２６に設けられた復水ポンプ８１および給水ポンプ８６を用いて、貯留された水を過熱器１５へ供給するようになっている。また、復水ポンプ８１の下流側には、復水脱塩器８２、復水ブースタポンプ８３、給水加熱器８４、脱気器８５、給水ポンプ８６、高圧給水加熱器（図示せず）が設けられている。
【００３３】
また、復水器６１は、その内部を真空脱気するための排気管７１および真空ポンプ７２を備えており、真空脱気を行うことにより、復水器６１内の水の溶存酸素量を減少させるようになっている。すなわち、水中の溶存酸素量が多い場合には、ボイラ１１等の腐食を促進するため、発電プラント１００が稼働している間は、復水器６１内を高度の真空状態に維持している。ただし、発電プラント１００を停止している間は、復水器６１内の真空状態が解除（真空破壊）される。この真空破壊は、復水器６１の内外を連通する空気導入管７３に設けられた真空破壊弁７４を開くことにより実現される。
【００３４】
火炉水壁（図示せず）、過熱器１５および再熱器１６は、復水器６１等から供給される水を蒸気にするための装置であり、ボイラ１１の火炉１１ａ内に配設されている。火炉水壁（図示せず）および過熱器１５には復水器６１から水が供給され、火炉１１ａの燃焼熱との間で熱交換が行われて蒸気となる。この蒸気は、タービン関係配管２１を介して高圧タービン３１に供給される。一方、再熱器１６では、高圧タービン３１からタービン関係配管２２を介して排出された蒸気が再加熱され、発生した再加熱蒸気を、タービン関係配管２３を介して中圧タービン３２に供給する。
【００３５】
＜ユニット水処理システム＞
ボイラおよびその付属機器であるボイラユニットは、定期点検等により所定期間停止させることがある。この際、給水系統の内部に残存する酸素により給水系統の配管が腐食することを防止するため、給水系統にヒドラジンやアンモニア等の薬品を注入する必要がある。このため、復水ブースタポンプ８３の入口に、ヒドラジン注入ポンプおよびアンモニア注入ポンプ等の薬品注入ポンプ９１が連通接続されている（図４参照）。
【００３６】
給水系統に注入する薬品の濃度は、ボイラユニットの停止操作条件に応じて適切な値となるよう調整しなければならない。実施例１のユニット水処理方法およびユニット水処理システム２００は、このようなボイラユニットの停止操作条件に応じて給水系統に注入する薬品濃度が適切な値となるように制御するものである。
【００３７】
実施例１のユニット水処理システム２００は、図１に示すように、薬品濃度データベース２０１、停止操作条件入力手段２０２、および薬品注入ポンプ駆動制御手段２０３を主な構成要素としている。
なお、実施例１のユニット水処理システムを構成する各手段は、コンピュータおよびその周辺機器からなり、コンピュータを構成するＣＰＵ等がアプリケーションプログラムに従って動作することにより、各手段としての機能を発揮するようになっている（実施例２において同様）。
【００３８】
薬品濃度データベース２０１は、ボイラユニットの停止操作条件に対応した適切な薬品濃度、および該薬品濃度を実現する薬品注入ポンプ９１の駆動量との関係を格納したデータベースである。
【００３９】
以下、図２を参照して、データベースに格納されるデータについて具体的に説明する。
ボイラユニットの停止操作条件と、適切な薬品濃度との関係は、図２に示すようになっている。実施例１のユニット水処理システム２００では、図２に示す条件を満足するように、薬品注入ポンプ９１の駆動量を制御する。なお、実施例１のユニット水処理装置で使用する薬品注入ポンプ９１は、ヒドラジン注入ポンプおよびアンモニア注入ポンプであり、これらのポンプを用いてヒドラジンおよびアンモニアの注入を行っている。
【００４０】
具体的には、ボイラユニットの停止操作条件に応じて、ヒドラジン濃度が２００ｐｐｂ〜２００ｐｐｍの範囲となるように、薬品注入ポンプ９１の駆動制御が行われる。なお、実施例１のユニット水処理システム２００では、ボイラユニットが停止している際の薬品注入濃度を、停止操作の進行とともに変化させている。
【００４１】
停止操作条件入力手段２０２は、ボイラユニットの停止操作条件を入力するための手段であり、コンピュータに接続されたキーボード等の入力手段により入力されたボイラユニットの停止操作条件を薬品注入ポンプ駆動制御手段２０３に受け渡す機能を有している。
【００４２】
この際、キーボード等の入力手段により、ボイラユニットの停止操作条件を直接入力することも可能であるが、予め設定されたテンプレートを液晶表示装置等の画面に表示し、このテンプレートを用いてボイラユニットの停止操作条件を入力するような構成とすることが好ましい。具体的には、例えば図２に示す水処理条件に対応して、ホットバンキング停止（３日以内）、３〜７日以内の停止、１週間以上の停止等の項目をテンプレート表示し、各項目に対応するチェック欄に、マウス等のポインティングデバイスを用いてチェック入力を行うことにより、ポンプユニットの停止操作条件の入力を行うことができる。
【００４３】
薬品注入ポンプ駆動制御手段２０３は、薬品濃度データベース２０１を参照し、停止操作条件入力手段２０２により入力された停止操作条件に応じて、薬品注入ポンプ９１の駆動量を制御するための手段である。具体的には、例えば、ホットバンキング停止（３日以内）というボイラユニットの停止操作条件が入力されると、ヒドラジン濃度が２００〜３００ｐｐｂの範囲となるように、薬品注入ポンプ９１のストローク量や回転数を制御して薬品注入を行う。
【００４４】
＜ユニット水処理方法＞
次に、図３を参照して、実施例１のユニット水処理システム２００を用いて薬品濃度の制御を行う手順を説明する。
実施例１のユニット水処理システム２００を用いて薬品濃度の制御を行うには、図３に示すように、制御の前提として、ボイラユニットの停止操作条件に対応した適切な薬品濃度、および該薬品濃度を実現する薬品注入ポンプ９１の駆動量との関係を保存した薬品濃度データベース２０１を構築する（Ｓ１）。
【００４５】
続いて、停止操作条件入力手段２０２により、ボイラユニットの停止操作条件が入力されると（Ｓ２）、薬品注入ポンプ駆動制御手段２０３により、薬品濃度データベース２０１を参照し、停止操作条件に応じて薬品注入ポンプ９１の駆動量が制御され（Ｓ３）、適切な薬品濃度が実現される。
【００４６】
なお、一旦、薬品濃度データベース２０１を構築した後は、ボイラユニットの停止条件等が変更されない限り、再度、薬品濃度データベース２０１を構築し直す必要はなく、ボイラユニットの停止操作条件を入力すれば（Ｓ２）、薬品ポンプの駆動量が制御され（Ｓ３）、適切な薬品濃度を実現することができる。
【００４７】
実施例１のユニット水処理方法およびユニット水処理システム２００によれば、ボイラユニットの停止操作条件に応じて適切な薬品濃度が確保され、給水系統の腐食を確実に防止するとともに、ボイラユニットの起動時間を短縮することができる。
【実施例２】
【００４８】
＜ユニット水処理システム＞
図５および図６は、本発明の実施例２に係るユニット水処理方法およびユニット水処理システムを示すもので、図５はユニット水処理システムの概略構成を示すブロック図、図６はユニット水処理方法の手順を示すフローチャートである。
【００４９】
実施例２のユニット水処理システム２１０は、図５に示すように、上述した実施例１のユニット水処理システム２００の構成要素に加えて、薬品濃度検出手段２０４、薬品濃度判定手段２０５、および修正指示手段２０６を備えている。
【００５０】
以下、実施例１と同様の機能を有する手段等には同一の符号を付して詳細な説明を省略し、実施例１と異なる構成要素についてのみ説明を行う。
薬品濃度検出手段２０４は、給水系統中の薬品濃度を検出するための手段であり、例えば測定方法としてポーラロ式酸化還元電極法を利用したヒドラジン計等により構成される。
【００５１】
薬品濃度判定手段２０５は、薬品濃度検出手段２０４により検出した薬品濃度が予め定めた適切な濃度であるか否かを判定するための手段である。この薬品濃度判定手段２０５は、検出された薬品濃度と、薬品濃度データベース２０１を参照して決定した薬品濃度とを比較することにより、薬品濃度が適切な濃度となっているか否かの判定を行う。
【００５２】
修正指示手段２０６は、薬品濃度判定手段２０５により薬品濃度が予め定めた適切な濃度ではないと判定された場合に、薬品注入ポンプ駆動制御手段２０３に対して修正指示を行うための手段である。
修正指示を受けた薬品注入ポンプ駆動制御手段２０３は、修正指示に従って薬品注入ポンプ９１の駆動を制御し、注入する薬品量を増加させたり、あるいは減少させたりする。
【００５３】
＜ユニット水処理方法＞
次に、図６を参照して、実施例２のユニット水処理システム２１０を用いて薬品濃度の制御を行う手順を説明する。
実施例２のユニット水処理システム２１０を用いて薬品濃度の制御を行うには、図６に示すように、薬品濃度データベース２０１を構築し（Ｓ１１）、ボイラユニットの停止操作条件が入力されると（Ｓ１２）、停止操作条件に応じて薬品注入ポンプ９１の駆動量が制御される（Ｓ１３）。
【００５４】
続いて、薬品濃度検出手段２０４により、給水系統中の薬品濃度を検出し（Ｓ１４）、薬品濃度判定手段２０５により、薬品濃度が適切な値であるか否かを判定する（Ｓ１５）。ここで、薬品濃度が適切な値でない場合には、修正指示手段２０６により、適切な薬品濃度と検出した薬品濃度との差を修正濃度として，薬品注入ポンプ駆動制御手段２０３に対して修正指示（修正濃度）を送出する（Ｓ１６）。
【００５５】
修正指示（修正濃度）を受けた薬品注入ポンプ駆動制御手段２０３は、修正指示に従って薬品注入ポンプ９１の駆動を制御し、注入する薬品量を増加させたり、あるいは減少させたりすることにより、薬品濃度を適切な値に修正する（Ｓ１３）。一方、薬品濃度が適切な値である場合には、そのまま薬品の注入を続行する。
【００５６】
なお、一旦、薬品濃度データベース２０１を構築した後は、ボイラユニットの停止条件等が変更されない限り、再度、薬品濃度データベース２０１を構築し直す必要はなく、ボイラユニットの停止操作条件を入力すれば（Ｓ１２）、薬品ポンプの駆動量が制御され（Ｓ１３）、適切な薬品濃度を実現することができる。
【００５７】
次に、図７を参照して修正指示（修正濃度）を受けた薬品注入ポンプ９１の駆動量と修正薬品濃度との関係を説明する。図７はヒドラジンもしくはアンモニア注入ポンプを用いてヒドラジンもしくはアンモニアを注入する際のストローク量と修正薬品濃度との関係を示すグラフの一例である。
【００５８】
図７に示す注入ポンプストローク表は、ポンプ容量が一定である注入ポンプを用いてヒドラジンもしくはアンモニアを注入する場合に、修正薬品濃度に対する適切なポンプストローク（％）および回転数（％）と復水流量（ｔ／ｈ）との関係を示すものである。図７に示す例では、ヒドラジンの修正薬品濃度が５０ｐｐｍで復水流量が５５０ｔ／ｈの時に縦軸の値は２５％となるため，ポンプストロークが５０％で回転数が５０％となる。
【００５９】
データベースに格納される薬品濃度や薬品注入ポンプ９１の駆動量等に関するデータは、上述した値に限定されるものではなく、ボイラユニットの構造、大きさ、用途等に応じて適宜変更して実施することができる。
【００６０】
実施例２のユニット水処理方法およびユニット水処理システム２１０によれば、常に適切な薬品濃度となるように薬品注入ポンプ９１を駆動制御することにより、給水系統に注入される薬品濃度管理をより一層確実なものとすることができる。
【産業上の利用可能性】
【００６１】
本発明は、発電プラント１００等のボイラユニットを停止する際に、ボイラユニットの停止操作条件に応じて、給水系統に注入する薬品濃度を適切な値に制御するために利用することができるが、停止期間中に給水系統において保管薬注を行う必要があるボイラユニットであれば、どのようなボイラユニットにも適用することができる。
【図面の簡単な説明】
【００６２】
【図１】本発明の実施例１に係るユニット水処理システムの概略構成を示すブロック図である。
【図２】ボイラユニットの停止操作条件に対応した適切な薬品濃度を示す説明図である。
【図３】本発明の実施例１に係るユニット水処理システムを用いたユニット水処理方法の手順を示すフローチャートである。
【図４】本発明の実施例１に係るユニット水処理方法およびユニット水処理システムを適用する発電プラントの概略構成図である。
【図５】本発明の実施例２に係るユニット水処理システムの概略構成を示すブロック図である。
【図６】本発明の実施例２に係るユニット水処理システムを用いたユニット水処理方法の手順を示すフローチャートである。
【図７】ヒドラジンもしくはアンモニア注入ポンプの駆動量とヒドラジンもしくはアンモニア濃度（修正濃度）との関係を示す説明図の一例である。
【符号の説明】
【００６３】
１００  発電プラント
１１０  燃焼系統
１２０  復水・蒸気系統
１１  ボイラ
１１ａ  火炉
１２  燃焼バーナ
１３  微粉炭機
１４  押込送風機
１５  過熱器
１６  再熱器
２１〜２５  タービン関係配管
２６  送水管
３１  高圧タービン
３２  中圧タービン
３３ａ，３３ｂ  低圧タービン
４１  １次発電機
４２  ２次発電機
５１  排ガス処理設備
５１ａ  脱硝装置
５１ｂ  集塵装置
５１ｃ  脱硫装置
５１ｄ  煙突
６１  復水器
６２  蒸気取込口
６３  管巣
６４  ホットウエル
６５  海水循環ポンプ
７１  排気管
７２  真空ポンプ
７３  空気導入管
７４  真空破壊弁
８１  復水ポンプ
８２  復水脱塩器
８３  復水ブースタポンプ
８４  給水過熱器
８５  脱気器
８６  給水ポンプ
９１  薬品注入ポンプ
２００，２１０  ユニット水処理システム
２０１  薬品濃度データベース
２０２  停止操作条件入力手段
２０３  薬品注入ポンプ駆動制御手段
２０４  薬品濃度検出手段
２０５  薬品濃度判定手段
２０６  修正指示手段
【図１】
2007217773.tif 000003
【図２】
2007217773.tif 000004
【図３】
2007217773.tif 000005
【図４】
2007217773.tif 000006
【図５】
2007217773.tif 000007
【図６】
2007217773.tif 000008
【図７】
2007217773.tif 000009